(57)【要約】  本発明は、水面で浮遊し、リンク（８）によってブイ（２）に接続された信号伝達要素（７）を含む海中ブイ（２）を防護するためのシステム（１）であって、リバーシブル連結デバイスを含み、リバーシブル連結デバイスが、信号伝達要素（７）とは逆のリンク（８）の端部に固定された取付部材、ブイ（２）に堅固に接続され、上記取付部材と係合することが可能であり、リンク（８）がブイ（２）に堅固に接続されるまたはブイ（２）から分離されることを可能にする相補取付部材、圧力センサ、及び時間測定ユニットに関連付けられた制御ユニットを備え、上記制御ユニットが、上記圧力センサと上記時間測定ユニットとを関連付けることによって測定される圧力変動が設定値よりも高いときに、上記取付部材から分離するように上記相補取付部材に命令することを特徴とするシステム（１）に関する。【選択図】図１
2020506106.tif 000002
【特許請求の範囲】
【請求項１】
海中ブイ（２）を防護するためのシステム（１）であって、
前記海中ブイ（２）が、コマンドに従って前記海中ブイ（２）を水面に確実に浮上させるための手段を備え、無線音響信号受信機を包囲する少なくとも１つのケーシング（３）、固着された係留点（５）に一端で取り付けられた係留ロープ（４）、前記ブイ（２）が水面に浮上することを可能にする解放メカニズム、及びバッテリを備え；前記防護システム（１）が、水面で浮遊することが可能であり、リンク（８）によって前記ブイ（２）に接続された信号伝達要素（７）を含み、前記防護システム（１）が、リバーシブル連結デバイス（９）を含み、前記リバーシブル連結デバイス（９）が、前記信号伝達要素（７）とは逆の前記リンク（８）の端部に固定された取付部材（９１）、前記ブイ（２）に堅固に接続され、前記取付部材（９１）と係合することが可能であり、前記リンク（８）が前記ブイ（２）に堅固に接続されるまたは前記ブイ（２）から分離されることを可能にする相補取付部材（９２）、圧力センサ（９３）、及び時間測定ユニット（９５）に関連付けられた制御ユニット（９４）を備え、前記制御ユニット（９４）が、前記圧力センサ（９３）と前記時間測定ユニット（９５）とを関連付けることによって測定される圧力変動が設定値よりも高いときに、前記取付部材（９１）から分離するように前記相補取付部材（９２）に命令することを特徴とする、システム（１）。
【請求項２】
前記設定値が、記録されている世界最大の潮差による時間に対する圧力変動に対応することを特徴とする、請求項１に記載の防護システム（１）。
【請求項３】
前記連結デバイス（９）が、一方の側で前記ブイ（２）に固定され、他方の側で前記リンク（８）の前記取付部材（９１）に固定され、前記引張力が所定値を超えたときに破断するように設計された「破壊可能な」固定具（９６）を含むことを特徴とする、請求項１または２に記載の防護システム（１）。
【請求項４】
前記連結デバイス（９）が、一方の側で前記リンク（８）の前記取付部材（９１）に固定され、他方の側で、前記引張力が所定値を超えたときに前記ブイ（２）から分離することが可能な解放クリップを介して前記ブイ（２）に固定された「破壊可能な」固定具（９６）を含むことを特徴とする、請求項１または２に記載の防護システム（１）。
【請求項５】
前記ブイ（２）の下に延在し、前記ブイ（２）の枢支点と前記リンク（８）の前記取付部材（９１）との間に配設されたバラストキール（１１）を含み、前記キール（１１）、前記ブイ（２）の枢支点、及び前記リンク（８）の前記取付部材（９１）が、前記ブイ（２）の長手方向垂直対称平面内に配設されていることを特徴とする、請求項１〜４のうちいずれか一項に記載の防護システム（１）。
【請求項６】
設定点深さを超える突然の圧力上昇を記録することが可能であり、適切な場合には情報を前記解放メカニズムに送信して、前記ブイ（２）を前記設定点深さまで上昇させることが可能な、前記ブイ（２）に堅固に接続された圧力センサを含むことを特徴とする、請求項１〜５のうちいずれか一項に記載の防護システム（１）。
【請求項７】
前記ケーシング（３）内部で、前記電気構成要素及び／または電子構成要素を収容する領域内に位置され、適切な場合には前記解放メカニズムをトリガして前記ブイ（２）を水面に浮上させることが可能な湿度センサを備えることを特徴とする、請求項１〜６のうちいずれか一項に記載の防護システム（１）。
【請求項８】
前記バッテリのレベルが最小閾値に達するとすぐに前記解放メカニズムをトリガして前記ブイ（２）を水面に浮上させることが可能な、前記ブイ（２）の前記バッテリを恒久的に監視するための部材を備えることを特徴とする、請求項１〜７のうちいずれか一項に記載の防護システム（１）。
【請求項９】
前記湿度センサ及び前記バッテリ監視部材が、前記ブイ（２）の前記ケーシング（３）の外側から見えるインジケータライトに関連付けられていることを特徴とする、請求項７または８に記載の防護システム（１）。
【請求項１０】
前記ブイ（２）の前記ケーシング（３）に備え付けられ、透明な保護エンクロージャ（１２２）の下に配設された少なくとも１つの電球（１２１）を含むフラッシュランプ（１２）を備え、前記透明な保護エンクロージャ（１２２）が、制御ユニット（１２４）を含む本体（１２３）の上に固定され、前記制御ユニット（１２４）が、トワイライトセンサ（１２５）及び圧力センサ（１２６）に関連付けられ、それにより、暗い状況で、前記ランプ（１２）が水の外に出ているときにのみ前記ランプ（１２）が点滅することを特徴とする、請求項１〜９のうちいずれか一項に記載の防護システム（１）。
【請求項１１】
前記ランプ（１２）が、ＡＩＳネットワーク信号と互換性があり、前記ブイ（２）が水面に浮上した場合に前記ブイ（２）の所有者に警告するための位置決定デバイスに関連付けられた通信アンテナを含むことを特徴とする、請求項１０に記載の防護システム（１）。
【請求項１２】
ボート（１４）の船体に堅固に接続されるように配置され、全体的な半球形状を有するセラミックトランスデューサを備えるプローブ（１３）を含むことを特徴とする、請求項１〜１１のうちいずれか一項に記載の防護システム（１）。
【請求項１３】
前記プローブ（１３）と同様の遠隔プローブを含むことを特徴とする、請求項１２に記載の防護システム（１）。
【請求項１４】
前記ブイ（２）の前記解放メカニズムを作動させるための特定の一意のコードを含み、単一の「パスコード」により、一連のブイ（２）の前記解放メカニズムの同時作動を可能にする補完的なコード化デバイスを含むことを特徴とする、請求項１〜１３のうちいずれか一項に記載の防護システム（１）。
【発明の詳細な説明】
【技術分野】
【０００１】
本発明は、海中ブイを盗難及び外的攻撃から防護するためのシステムに関し、そのようなブイは、標準規格及び現行指令に従って、コマンドに応じてブイを水面に確実に浮上させるための手段を備えている。
【背景技術】
【０００２】
水中ブイの分野において、フィッシングギアを位置特定するための海中ブイが既に知られており、無線音響信号受信機を包囲するケーシング、係留点に一端で取り付けられた係留ロープ、ブイを解放してブイが水面に浮上できるようにするためのメカニズム、及び浮動リザーブからなり；上記電気機械的な解放メカニズムは、密封タンク内に包囲され、それにより浮動リザーブを構成し、係留ロープが巻き取られる巻取りドラムの自由回転を防止または許可するキャッチを制御する。この種のブイは設計が非常に単純であり、その操作は完全に可逆的である。しかし、この種のブイは、例えば盗難または強い海流など外的攻撃からの保護に関していかなる保証も提供しない。そのような外的攻撃は、ブイを位置特定することを不可能にし、またはブイの紛失、ひいてはブイに関連付けられた物体の紛失をもたらす。さらに、この欠点は、特に漁業分野における標準規格の統一化に向けて取り組んでいる政府間組織であるＦＡＯ（Ｆｏｏｄ  ａｎｄ  Ａｇｒｉｃｕｌｔｕｒｅ  Ｏｒｇａｎｉｚａｔｉｏｎ  ｏｆ  ｔｈｅ  Ｕｎｉｔｅｄ  Ｎａｔｉｏｎｓ;国際連合食糧農業機関）による最近の要請に相容れないものである。より具体的には、２０１０年の報告書で、ＦＡＯは、「ゴーストフィッシング」を防ぐために、海で紛失したフィッシングギアを回収するためのあらゆる努力を行うよう漁業部門に求めている。ゴーストフィッシングは、漁法資源の非常に高費用であり不要な劣化を引き起こし、非常に大きな生態学的影響を有する。さらに、この種のブイは、ボートとの衝突の危険を防ぐために水中でのいかなるギアの潜伏をも禁止することを狙いとする国際法にも準拠していない。
【０００３】
これらの様々な欠点は、先述のものに類似した、かつ例えば本出願人により出願された仏国特許出願公開第３０３３１５６号明細書に記載されているような防護メカニズムを設けられた海中ブイによって、一部克服される。上記防護システムは、信号伝達要素を含み、信号伝達要素は、水面に浮遊することが可能であり、リンクによって海中ブイに接続されており、リンクは、信号伝達要素と同じ側に位置される端部に所定値よりも大きい力が及ぼされるときに破断することが可能な脆弱手段を含み、上記防護システムはさらにバラストキールを含み、バラストキールは、ブイの下に延在し、海中ブイの枢支点及び上記リンクの固定点を含むブイの長手方向垂直対称面内で、それらの間に配設される。
【０００４】
しかし、このアセンブリにはいくつかの欠点がある。すなわち、ユーザが破壊可能なリンクの破断に関する所定値を正しく設定しないと、破断が時期尚早に起こり得る、または逆に全く起こらないこともあり得るので、破断することが可能な「破壊可能な」リンクは、使用中に脆弱さを有する。特に、水面にある信号伝達要素及び破壊可能なリンクに加えられる可能性が高い風及び海流により生じる力を考慮に入れなければならないので、上記所定値の決定は特に困難である。水面にある信号伝達要素は、手作業で作られることが非常に多く、したがって同じボートでもブイごとに異なるので、上記値の決定は特に難しい。
【０００５】
最後に、上記防護システムでは、海中ブイの様々な種類の動き：下降または上昇の動き、低速または高速の動き、正常（例えば潮汐により生じる）または異常な動きを簡単には区別することができない。
【先行技術文献】
【特許文献】
【０００６】
【特許文献１】仏国特許出願公開第３０３３１５６号明細書
【発明の概要】
【発明が解決しようとする課題】
【０００７】
したがって、本発明は、ゴーストフィッシング及び海中物体に関する将来展望及び現行法規に準拠して、コマンドに従ってブイを水面に確実に浮上させるための手段を備えた海中ブイを防護するためのシステムを提案することを狙いとする。上記システムは、海中ブイの使用及び／または海洋環境によって引き起こされる盗難や劣化から、信頼性及び耐久性のある形で海中ブイを防護することを可能にする。
【課題を解決するための手段】
【０００８】
これに関し、本発明は、海中ブイを防護するためのシステムであって、海中ブイが、コマンドに従って海中ブイを水面に確実に浮上させるための手段を備え、無線音響信号受信機を包囲する少なくとも１つのケーシング、固着された係留点に一端で取り付けられた係留ロープ、上記ブイが水面に浮上することを可能にする解放メカニズム、及びバッテリを備え；防護システムが、水面で浮遊することが可能であり、リンクによってブイに接続された信号伝達要素を含み、上記防護システムが、リバーシブル連結デバイスを含み、リバーシブル連結デバイスが、信号伝達要素とは逆のリンクの端部に固定された取付部材、ブイに堅固に接続され、上記取付部材と係合することが可能であり、リンクがブイに堅固に接続されるまたはブイから分離されることを可能にする相補取付部材、圧力センサ、及び時間測定ユニットに関連付けられた制御ユニットを備え、上記制御ユニットが、上記圧力センサと上記時間測定ユニットとを関連付けることによって測定される圧力変動が設定値よりも高いときに、上記取付部材から分離するように上記相補取付部材に命令することを特色とするシステムに関する。
【０００９】
設定値は、好ましくは、記録されている世界最大の潮差による時間に対する圧力変動に対応する。
【００１０】
代替実施形態によれば、連結デバイスは、一方の側でブイに固定され、他方の側でリンクの取付部材に固定され、上記引張力が所定値を超えたときに破断するように設計された「破壊可能な」固定具を含む。
【００１１】
別の代替実施形態によれば、連結デバイスが、一方の側でリンクの取付部材に固定され、他方の側で、上記引張力が所定値を超えたときにブイから分離することが可能な解放クリップを介してブイに固定された「破壊可能な」固定具を含む。
【００１２】
有利には、防護システムは、ブイの下に延在し、ブイの枢支点とリンクの取付部材との間に配設されたバラストキールを含み、上記キール、ブイの枢支点、及びリンクの取付部材は、ブイの長手方向垂直対称平面内に配設されている。
【００１３】
防護システムは、好ましくは、設定点深さを超える突然の圧力上昇を記録することが可能であり、適切な場合には情報を解放メカニズムに送信して、上記ブイを上記設定点深さまで上昇させることが可能な、ブイに堅固に接続された圧力センサを含む。
【００１４】
有利には、防護システムは、ケーシング内部で、電気構成要素及び／または電子構成要素を収容する領域内に位置され、適切な場合には解放メカニズムをトリガしてブイを水面に浮上させることが可能な湿度センサを備える。
【００１５】
防護システムは、好ましくは、バッテリのレベルが最小閾値に達するとすぐに解放メカニズムをトリガしてブイを水面に浮上させることが可能な、ブイのバッテリを恒久的に監視するための部材を含む。
【００１６】
湿度センサ及びバッテリ監視部材は、有利には、ブイのケーシングの外側から見えるインジケータライトに関連付けられている。
【００１７】
有利には、防護システムは、ブイのケーシングに備え付けられ、透明な保護エンクロージャの下に配設された少なくとも１つの電球を含むフラッシュランプを備え、透明な保護エンクロージャが、制御ユニットを含む本体の上に固定され、制御ユニットが、トワイライトセンサ及び圧力センサに関連付けられ、それにより、暗い状況で、ランプが水の外に出ているときにのみランプが点滅する。
【００１８】
ランプは、好ましくは、ＡＩＳネットワーク信号と互換性があり、上記ブイが水面に浮上した場合にブイの所有者に警告するための位置決定デバイスに関連付けられた通信アンテナを含む。
【００１９】
有利には、防護システムは、ボートの船体に堅固に接続されるように配置され、全体的な半球形状を有するセラミックトランスデューサを備えるプローブを含む。
【００２０】
有利な一実施形態によれば、防護システムは、上記プローブと同様の遠隔プローブを含む。
【００２１】
最後に、所有者が水面上でブイを作動させるための特定の一意のコードを含む海中ブイを防護するためのシステムは、有利には、「パスコード」と呼ばれる単一のコードにより、一連の海中ブイの解放メカニズムを同時に作動させるための補完的なコード化デバイスを備える。
【００２２】
他の利点及び特徴は、添付図面を参照しながら与えられる、海中ブイを防護するための本発明による防護システムの一代替実施形態の以下の説明を読めば、より良く理解されよう。
【図面の簡単な説明】
【００２３】
【図１】本発明による防護システムを備えた海中ブイの概略全体図である。
【図２】図１での防護システムの拡大詳細図である。
【図３】図１での防護システムの連結デバイスの概略詳細図である。
【図４】図１での防護システムの連結デバイスの代替実施形態の概略詳細図である。
【図５】図１での防護システムのフラッシュランプの概略詳細図である。
【発明を実施するための形態】
【００２４】
図１〜図２は、コマンドに従って海中ブイ２を確実に浮上させるための手段を備えた海中ブイ２を防護するための本発明による防護システム１を示す。一部を図示した一実施形態によれば、上記ブイ２は、有利には以下のものを含む：
−無線音響信号受信機を包囲し、ねじ接続によってまたは任意の他の適切な手段によって組み合わされた２つのシェル半体によって形成されたケーシング３であって、好ましくは、流体力学的プロファイルを有する外形、有利には全体的な軸対称楕円形を有して、海流に対する感受性を低くしたケーシング３、
−従来の様式で海底に固着された係留点５に、端部の一方で接続された係留ロープ４、
−上記ブイ２が水面に浮上できるようにする解放メカニズム（図示せず）であって、有利には、電気機械タイプであり、浮遊リザーブを形成する密封容器に包囲され、係留ロープ４が巻き取られる巻取りドラムの自由回転を防止または許可するキャッチを制御し、係留ロープ４が、ブイ２のケーシング３に形成された出力点６を通過して上記固着点５に接続され、上記出力点６がブイ２の枢支点に対応する、解放メカニズム、及び
−特に上記解放メカニズムに電気エネルギーを供給する少なくとも１つのバッテリ。
【００２５】
通常の使用条件下では深さ約４０メートルに浸水されているブイ２、及び特にそのケーシング３は、取扱い誤差を克服するために最大８０メートルの深さでの浸水、及び最大５ノットの海流の作用に耐えるように明確に設計されている。
【００２６】
水中物体の潜伏を禁止することを狙いとする国際規制に準拠するために、防護システム１は、水面に浮遊し、リンク８によってブイ２に接続された信号伝達要素７を含み、上記信号伝達要素７は、有利には、旗７２を設けられた浮標７１を備える。
【００２７】
リンク８は、特定の条件下で上記リンク８をブイ２から分離することが可能な連結デバイス９によってブイ２に接続されている。
【００２８】
図３を参照すると、リバーシブル連結デバイス９は、信号伝達要素７とは逆のリンク８の端部に固定された取付部材９１、ブイ２のケーシング３に堅固に接続され、リンク８がブイ２のケーシング３に堅固に接続されるまたはブイ２のケーシング３から分離されることを可能にするために上記取付部材９１と係合することが可能な相補取付部材９２、圧力センサ９３、及び時間測定ユニット９５に関連付けられた制御ユニット９４を含む。
【００２９】
取付部材９１は、有利には、金属部品、リング、シャックル、シンブル、またはクリングルからなる群から選択される。したがって、相補取付部材９２は、有利には、電磁石、クリップ、フック、またはレバーからなる群から選択される。上記相補取付部材９２は、風、波、及び海流によって引き起こされる力が信号伝達要素７に及ぼされても、リンク８をブイ２に堅固に接続して保持することが可能である。
【００３０】
しかし、取付部材９１及び相補取付部材９２は、同じ効果を提供する任意の部材によって置き換えることができ、それでも本発明の範囲内にあることを理解されたい。
【００３１】
制御ユニット９４は、解放メカニズムに関連付けられるバッテリまたは特定のバッテリ（図示せず）によって電力供給されるプリント回路板である。上記制御ユニット９４は、相補取付部材９２に命令することが可能であり、時間測定ユニット９５からのデータと組み合わされた圧力センサ９３からのデータに応じて、取付部材９１がブイ２のケーシング３に堅固に接続されまたはブイ２のケーシング３から分離され、したがってリンク８がブイ２のケーシング３に堅固に接続されるまたはブイ２のケーシング３から分離されることを可能にする。
【００３２】
したがって、圧力センサ９３を時間測定ユニット９５に関連付けることによって測定される有意な高速の圧力変動が制御ユニット９４によって検出されたときに、ブイ２を迅速に浮上させる解放メカニズムの正常なトリガがない場合、上記ユニットは、相補取付部材９２に命令して、取付部材９１をブイ２から分離し、したがって信号伝達要素７をブイ２から分離することを可能にする。
【００３３】
この（量的に）有意であり（時間的に）高速の変動が、ブイ２の事故的な浮上（例えばリンク８がボートのプロペラまたはネットに引っかかった）によるものにすぎないか、またはブイ２の意図的な浮上（ブイ２を盗もうという試み）によるものであるかを確認するために、制御ユニット９４は、有利には、時間に対する圧力変動、すなわち例えば分単位など単位時間当たりの（有意であり高速の）圧力変動に対応する設定値に関して較正される。そのような設定値は、世界で記録された最大の潮差、すなわち連続する満潮と干潮の水位の最大の差によって生成される。すなわち、これは現在、カナダのファンディ湾で記録された潮差であり、毎時３．４メートルである。したがって、この目的で、圧力センサ９３と時間測定ユニット９５とを関連付けることによって測定された単位時間当たりの圧力変動が上記設定値よりも大きいとき、制御ユニット９４は、取付部材９１から分離するように相補取付部材９２に命令する；逆の場合には、分離は行われない。
【００３４】
したがって、圧力センサ９３及び時間測定ユニット９５が、およそ数秒または１分といった短時間のうちに有意な圧力変動を測定した場合、これはブイ２の許可されていない浮上に関係する可能性が高いため、制御ユニット９４は、取付部材９１から分離するように相補取付部材９２に命令することを理解されたい。
【００３５】
さらに、ブイ２が所望の深さに浸水されるのを保証するために、防護システム１の圧力センサ９３を使用して、設定点深さ、すなわち４０メートルの深さを超える突然の圧力上昇を記録することができる。そのような突然の圧力上昇が記録された場合、上記圧力センサ９３は、上記ブイ２を上記設定点深さまで浮上させるために情報を解放メカニズムに送信する。一般に、圧力センサは、測定された圧力が０．５ｂａｒ上昇するとすぐにブイの位置を再調整する。
【００３６】
しかし、４０メートルを超えるブイ２の降下が特に海流によるものである場合、圧力は徐々に増加し、圧力センサ９３は、解放メカニズムにメッセージを送信しない。
【００３７】
この圧力センサ９３は、さらに、ブイ２が浸水された最大の深さを提供する情報源として作用することによって、ブイ２の漏れによって損害が引き起こされた場合に責任を特定することを可能にする。
【００３８】
しかし、これら２つの用途に関して、防護システム１は、連結デバイス９に関連付けられた圧力センサ９３とは異なる別の圧力センサを含むこともでき、それでも本発明の範囲内にある。
【００３９】
図４に示される代替実施形態によれば、防護システム１の連結デバイス９は、「破壊可能な」固定具９６を含み、この固定具９６は、一方では、例えばブイ２の運搬用ハンドル１０に結び付けられることによってブイ２のケーシング３に固定され、他方では、リンク８の取付部材９１に固定される。この「破壊可能な」固定具９６は、力が所定値を超えたときに破断するように設計されるか、または、力が上記所定値を超えたときにブイ２から分離することが可能な解放クリップ（図示せず）を介してブイ２に固定される。ブイ２及びその係留ロープ４の寸法、ならびに信号伝達要素７の浮標７１に加えられる海流の値に応じてこの所定値を計算することは、当業者にとって難しくないであろう。
【００４０】
この代替実施形態は、ブイ２を浮上させるときの信号伝達要素７の紛失を防止する。より具体的には、フィッシングギアを浮上させるとき、漁師は通常、ブイ２の解放メカニズムをトリガし、これによりブイ２が急浮上する。しかし、フィッシングギアは通常、少なくとも２つのブイ２を備えている。したがって、フィッシングギアを浮上させるとき、解放メカニズムがトリガされていない第２のブイ２が急速に浮上し、したがって、その連結デバイス９がトリガされて、ブイ２からの信号伝達要素７の分離を命令するが、リンク８は、この場合には上記信号伝達要素７の紛失を防止するために「破壊可能な」固定具９６によって保定されている。しかし、「破壊可能な」固定具９６は、ブイ２が事故的に浮上された（例えばリンク８がボートのプロペラまたはネットに引っかかった）、またはブイ２が意図的に浮上された（ブイ２を盗もうという試み）場合に壊れるように意図される。
【００４１】
さらに、ブイ２が最大８０メートルの深さでの浸水に耐えるように設計されていても製造上の欠陥を有することがあり、これが小さな漏れにつながる可能性がある。この欠点を克服するために、防護システム１は、湿度センサ（図示せず）を備え、湿度センサは、ケーシング３の内部で、電気及び／または電子構成要素を受け取る領域内に位置される。したがって、少量の湿気が検出された場合、解放メカニズムが自動的にトリガされ、ブイ２が８秒未満で急速に水面まで浮上する。したがって、ケーシング３はもはや圧力を受けず、上記構成要素に対する損傷は最小限に抑えられる。
【００４２】
本発明による防護システム１は、ブイ２のバッテリを恒久的に監視するための部材をさらに含む。したがって、バッテリレベルが最小閾値に達するとすぐに、上記監視部材は、情報を送信して、解放メカニズムをトリガしてブイ２を水面に浮上させ、上記ブイ２をその所有者が回収できるようにする。
【００４３】
好ましい一実施形態によれば、湿度センサ及びバッテリ監視部材は、インジケータライトに関連付けられており、インジケータライトは、ブイ２のケーシング３の外側から見え、ユーザに不具合の種類を示す。したがって、上記ユーザは、不具合が水の浸入に関連するのか、または不十分なバッテリ充電に関連するのかを即座に認識できる。
【００４４】
この構成では、ブイ２、それらの係留ロープ４、信号伝達要素７、リンク８、及び連結デバイス９を備えるアセンブリは、特に海流が５ノットを超える場合、十分な安定性を有さない。しかし、ブイ２の安定性が保証されること、すなわちブイ２の浮遊面に垂直な軸と垂線との間の角度が−１０〜＋１０度の範囲内にあるようにブイ２が常に配設されていることが極めて重要である。それにより、ブイ２のケーシング３の無線音響信号受信機は、例えばボートに堅固に接続されたプローブによって発せられた信号を常に受信することが可能である。より具体的には、ブイ２が正確に配設されていない場合、受信機は、もはや信号を受信することができず、ブイ２の所有者は、ブイ２も、それに関連するフィッシングギアも回収することができなくなる。これは、ゴーストフィッシングと戦うＦＡＯの将来展望に反する。この問題を克服するために、例えば係留ロープ４の出力部６に対応するブイ２の枢支点の位置、リンク８の取付部材９１の位置、海流によってブイ２、信号伝達要素７、及びリンク８に及ぼされる抗力、または海流によって係留ロープ４に及ぼされる抗力など、多くの要因を考慮しなければならないことを理解されたい。
【００４５】
しかし、より簡単な方法でこの問題を克服するために、防護システムは、ブイ２の下に延在するバラストキール１１を含み、ブイ２の枢支点及びリンク８の固定点の位置に対するバラストキール１１の寸法及び位置は、最大７ノットの海流に対してブイ２の安定性を保証することを可能にし、キール１１ならびにブイ２の枢支点及びリンク８の取付部材９１は、ブイ２のケーシング３の長手方向垂直対称面内に配設され、キール１１は、ブイ２の上記枢支点とリンク８の取付部材９１との間に配設される。
【００４６】
さらに、図２及び図５を参照すると、衝突のリスクを制限するために浮遊物体の夜間信号伝達を改善することを狙いとする規制に準拠するために、防護システム１は、ブイ２のケーシング３に備え付けられたフラッシュランプ１２を備える。
【００４７】
上記ランプ１２は、有利には、透明保護エンクロージャ１２２の下に配設された少なくとも１つの電球１２１を含み、透明保護エンクロージャ１２２は、制御ユニット１２４を含む本体１２３の上に固定され、制御ユニット１２４は、トワイライトセンサ１２５、及び上述した連結デバイスの圧力センサ９３と同様の圧力センサ１２６に関連付けられる。
【００４８】
したがって、暗い状況で、ブイ２が水面上にある場合、すなわちランプ１２が水の外にある場合にのみランプ１２が点滅する。
【００４９】
ランプ１２は、それ自体のバッテリによって電力供給することもできるが、好ましくは解放メカニズムに関連付けられたバッテリによって電力供給される。
【００５０】
さらに、ランプ１２は、ＡＩＳネットワーク信号と互換性のある通信アンテナ１２７を含むことができる。ＡＩＳ（Ａｕｔｏｍａｔｉｃ  Ｉｄｅｎｔｉｆｉｃａｔｉｏｎ  Ｓｙｓｔｅｍ;自動識別システム）は、当初は商用船舶用の衝突防止ツールとして開発された船舶を自動的に識別するためのシステムであり、各船舶が、その近傍の他の船舶を「見る」ことを可能にする。通信アンテナ１２７は、ブイ２のケーシング３内に含まれ、ＡＩＳネットワークを使用するＧＰＳ（Ｇｌｏｂａｌ  ｐｏｓｉｔｉｏｎｉｎｇ  ｓｙｓｔｅｍ;全地球測位システム）タイプの位置決定デバイス（図示せず）に関連付けられる。
【００５１】
したがって、位置決定デバイスを用いて、ブイ２が水面に浮上した場合、ブイ２の所有者は警告を受け、上記ブイ２の位置を受信して、現場に行き、ブイ２を回収する。このとき、ブイ２の位置が変化して、船舶への絡みまたは移動を示している場合、所有者は、上記ブイを追跡してそれを回収することもでき、または管轄官庁によるブイの回収を保証することもできる。
【００５２】
さらに、搭載型のＡＩＳは、それを装備したすべてのボートが、視界が悪い状況でも、水面上のブイ２がぶつかることがあり得る障害物を位置特定し、したがって障害物を回避することができるようにする。
【００５３】
さらに、ボート無線局と同様に、ブイ２は、規制に従って、ＭＭＳＩ（Ｍａｒｉｔｉｍｅ  Ｍｏｂｉｌｅ  Ｓｅｒｖｉｃｅ  Ｉｄｅｎｔｉｔｙ；海上移動業務識別）コードを備え付けられており、ＭＭＳＩコードは、すべてのデジタル選択呼出システムをコード化し、フランス周波数管理局によって発行される。したがって、ブイ２が第三者のボートに引き上げられた場合、第三者のボートのＭＭＳＩコードとブイ２のＭＭＳＩコードとの２つのＭＭＳＩコードが、ブイ２の所有者の制御画面上で重ね合わされ、それにより、所有者は、第三者のボートの識別を直ちに得て、適切な場合には、係争を解決するために警察当局に連絡する。
【００５４】
さらに、図１を参照すると、ブイ２のケーシング３の無線音響信号受信機によって信号が受信されるときの安全性を高めるために、防護システム１は、プローブ１３を含み、プローブ１３は、例えばボート１４の船体に堅固に接続されるように配置され、ボート１４は、全体的な半球形状を有するセラミックトランスデューサを備え、コードのストリームを、半球状にかつ２００ミリ秒毎に約１ストリームの高速で伝播させることを可能にする。したがって、上記プローブ１３は、荒海の場合でさえ、解放メカニズムをトリガし、ブイ２を、その位置に関係なく、かつボートのトリム及びリストに関係なく浮上させることを可能にする。さらに、このプローブ１３は、放出される信号の範囲を広げることを可能にし、キャビテーション現象を大幅に減少させる。キャビテーション現象は、ボートが１０ノットを超える速度で移動しているときに現れ、放出される信号を歪ませる。
【００５５】
さらに、プローブ１３を動作させるために供給される電力は、ラーセン（Ｌａｒｓｅｎ）現象とやや類似して、上記プローブ１３がブイに近すぎるときに、放出される信号が聞こえなくなるようなものである。この非常に驚くべき現象は、プローブ１３を具備しているボートの下にブイが浮上して損傷される危険を防止する。
【００５６】
防護システム１は、遠隔プローブ（図示せず）を含むことができ、遠隔プローブは、前述のプローブ１３と類似の設計であり、２つの主機能を有する。第１の機能は、ボートの下に位置決めされたプローブ１３が損傷した場合に、ユーザがそのブイ２を浮上させることを可能にする。第２の機能は、世界の特定の場所に関係する。より具体的には、いくつかの場合に、海で強い躍層が生じていることがあり、これは、放出される信号の範囲を著しく狭めることがあり、まれには信号がもはや伝達されない程になり得る。そのような場合、例外的ではあるが、ユーザは遠隔プローブをつないで、浮上させるブイ２の数メートル上の位置まで遠隔プローブを下げて、上記ブイ２の受信機による信号の受信を保証する。
【００５７】
最後に、所有者が水面上でブイ２を作動させるための特定の一意のコードを含む海中ブイ２を防護するためのシステム１は、有利には、「パスコード」と呼ばれる単一のコードにより、一連の海中ブイ２の解放メカニズムを同時に作動させるための補完的なコード化デバイスを備える。
【００５８】
これにより、一連のブイ２の所有者、または所有者によって認可されたユーザは、すべてのブイ２を同時に水面に浮上させることによって、その作動のために一連のブイ２それぞれに特定のコードを連続して送信しなくてよくなる。
【００５９】
副次的に、多くの時間を節約することに加えて、ブイ２を浸水させるときに特定のコードを記録しなかった所有者が、「パスコード」を使ってすべてのブイを回収できることが保証される。
【産業上の利用可能性】
【００６０】
本発明による防護システム１は、主に海中フィッシングギア用のブイ２を固定するために使用されることを理解されたい。しかし、本発明は、有利には、難破船または機雷など注意を要する区域を画定することを意図されたブイ２を防護するためにも適用することができる。
【００６１】
最後に、上述した本発明による防護システム１の例は、特定の例示にすぎず、なんら本発明を限定するものではないことは言うまでもない。
【図１−２】
2020506106.tif 000003
【図３】
2020506106.tif 000004
【図４】
2020506106.tif 000005
【図５】
2020506106.tif 000006
【国際調査報告】
2020506106.tif 000007
2020506106.tif 000008
2020506106.tif 000009
2020506106.tif 000010